(57)【要約】【課題】カラオケ演奏の臨場感や雰囲気を反映するウェブページを自動作成し得る通信カラオケシステムを提供する。【解決手段】カラオケ装置１６を用いて演奏を行う利用者の映像１１６を撮影するＣＣＤカメラ４５と、そのＣＣＤカメラ４５により撮影が行われた際にカラオケ装置１６から出力されていた演奏曲に関する情報を抽出する情報抽出手段１０２と、ＣＣＤカメラ４５により撮影された映像１１６及び情報抽出手段１０２により抽出された演奏曲に関する情報に基づいて、インターネットを介して他の通信端末により閲覧可能なウェブサイトを形成するためのウェブページ１１８等を作成するウェブページ作成手段１０４とを、備えたものであることから、カラオケ演奏に際して撮影された映像１１６を用いて、そのカラオケ演奏に係る演奏曲に関連する情報を含むウェブページ１１８等を作成することができる。【選択図】図４
2011175170.tif 000002
【特許請求の範囲】
【請求項１】
多数の演奏曲のうちから選択される演奏曲を出力させる複数のカラオケ装置と、通信回線を介して前記複数のカラオケ装置との間で情報の送受信を行うサーバ装置とを、備えた通信カラオケシステムであって、
前記カラオケ装置を用いて演奏を行う利用者の映像を撮影する撮像装置と、
該撮像装置により撮影が行われた際に前記カラオケ装置から出力されていた演奏曲に関する情報を抽出する情報抽出手段と、
前記撮像装置により撮影された映像及び前記情報抽出手段により抽出された演奏曲に関する情報に基づいて、インターネットを介して他の通信端末により閲覧可能なウェブサイトを形成するためのウェブページを作成するウェブページ作成手段と
を、備え、
前記サーバ装置は、該ウェブページ作成手段によって作成されたウェブページを前記他の通信端末により閲覧可能に記憶するデータベースを備えたものであることを特徴とする通信カラオケシステム。
【請求項２】
前記カラオケ装置を用いた演奏に関して、該演奏が盛り上がった時点である盛り上がりタイミングを判定する盛り上がり判定手段と、
該盛り上がり判定手段により判定される対象となる演奏の盛り上がりタイミングにおいて前記撮像装置による撮影を行うように該撮像装置を制御する撮影制御手段と
を、備えたものである請求項１に記載の通信カラオケシステム。
【請求項３】
前記撮像装置により撮影が行われた際に前記カラオケ装置から出力されていた演奏曲に関して、該演奏曲の出力に伴って音声入力装置から入力される音声に応じて演奏の内容を評価する演奏評価手段を備え、
前記盛り上がり判定手段は、該演奏評価手段による評価結果が対象となる演奏を通しての最高評価を更新する毎に前記盛り上がりタイミングを判定するものであり、
前記撮影制御手段は、該盛り上がり判定手段により前記盛り上がりタイミングが判定される毎に前記撮像装置による撮影を行い、映像を更新してゆくものである請求項２に記載の通信カラオケシステム。
【請求項４】
前記撮像装置により撮影が行われた際に前記カラオケ装置から出力されていた演奏曲に関して、該演奏曲の出力に伴って音声入力装置から入力される音声の音量を検出する音量検出手段を備え、
前記盛り上がり判定手段は、該音量検出手段による検出結果が対象となる演奏を通しての最大値を更新する毎に前記盛り上がりタイミングを判定するものであり、
前記撮影制御手段は、該盛り上がり判定手段により前記盛り上がりタイミングが判定される毎に前記撮像装置による撮影を行い、映像を更新してゆくものである請求項２に記載の通信カラオケシステム。
【請求項５】
前記情報抽出手段は、前記演奏曲に関する情報として、前記盛り上がり判定手段により判定された前記盛り上がりタイミングに対応する該演奏曲の歌詞情報を抽出するものである請求項２から４の何れか１項に記載の通信カラオケシステム。
【請求項６】
前記情報抽出手段は、対象となる演奏を通して前記演奏評価手段による評価結果が最高評価であった時点に対応する歌詞情報を抽出するものである請求項５に記載の通信カラオケシステム。
【請求項７】
前記情報抽出手段は、対象となる演奏を通して前記音量検出手段による検出結果が最大であった時点に対応する歌詞情報を抽出するものである請求項５に記載の通信カラオケシステム。
【請求項８】
前記ウェブページ作成手段は、前記撮像装置により撮影された映像に予め定められた編集加工を施して前記ウェブページに組み込むものである請求項１から７の何れか１項に記載の通信カラオケシステム。
【発明の詳細な説明】
【技術分野】
【０００１】
本発明は、多数の演奏曲のうちから選択される演奏曲を出力させるカラオケ装置を用いた通信カラオケシステムに関し、特に、その通信カラオケシステムを利用するユーザ相互間のコミュニケーションシステムの改良に関する。
【背景技術】
【０００２】
多数の演奏曲のうちから選択される演奏曲を出力させると共に、その演奏曲の歌詞文字映像を映像表示装置に表示させるカラオケ装置が知られている。斯かるカラオケ装置によれば、予め記憶装置に記憶された多数のカラオケ演奏曲からリモコン装置等により選択（選曲）されたカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
上記カラオケ装置を用いたカラオケシステムの一例として、複数のカラオケ装置を通信回線を介してサーバ装置（ホスト装置）に接続し、それらカラオケ装置及びサーバ装置相互間で情報の送受信を可能とした通信カラオケシステムが知られている。また、斯かる通信カラオケシステムにおいて、限定的なメンバーを単位としてカラオケに関する種々のサービスを行い得るＳＮＳ（Social Network Service）を実現する通信カラオケシステムが提案されている。例えば、特許文献１に記載された通信カラオケシステムがそれである。
【０００４】
また、クライアントコンピュータにより閲覧可能なウェブページを作成する技術において、利用者の手間を軽減して電子絵日記を作成する発明が提案されている。例えば、特許文献２に記載された電子絵日記作成装置がそれである。この技術によれば、携帯電話機に付属のデジタルカメラにより撮影された画像データを、送信日時やメッセージデータ等と共に電子メールとして電子絵日記作成装置に送信することで、その電子メールから画像データ及びメッセージデータが抽出されてデータベースに格納され、利用者からの要求があった場合にはそれら画像データ及びメッセージデータに基づいてクライアントコンピュータにより閲覧可能な電子絵日記に相当するウェブページを作成することができるとされている。
【先行技術文献】
【特許文献】
【０００５】
【特許文献１】特開２００８−５８６５５号公報
【特許文献２】特開２００３−１７３３０９号公報
【発明の概要】
【発明が解決しようとする課題】
【０００６】
本発明者等は、前記ＳＮＳを実現可能な通信カラオケシステムにおいて、カラオケ演奏に際して撮影された写真（映像データ）を用いてウェブページを自動作成する技術を発案し、その実現のために鋭意研究を継続してきた。しかし、前述した特許文献２に記載されたような従来のウェブページ作成技術は、カラオケ演奏とは全く関係ないものであるため、写真撮影の際に行われていたカラオケ演奏の臨場感や雰囲気といったものを反映することができなかった。
【０００７】
本発明は、以上の事情を背景として為されたものであり、その目的とするところは、カラオケ演奏の臨場感や雰囲気を反映するウェブページを自動作成し得る通信カラオケシステムを提供することにある。
【課題を解決するための手段】
【０００８】
斯かる目的を達成するために、本発明の要旨とするところは、多数の演奏曲のうちから選択される演奏曲を出力させる複数のカラオケ装置と、通信回線を介して前記複数のカラオケ装置との間で情報の送受信を行うサーバ装置とを、備えた通信カラオケシステムであって、前記カラオケ装置を用いて演奏を行う利用者の映像を撮影する撮像装置と、その撮像装置により撮影が行われた際に前記カラオケ装置から出力されていた演奏曲に関する情報を抽出する情報抽出手段と、前記撮像装置により撮影された映像及び前記情報抽出手段により抽出された演奏曲に関する情報に基づいて、インターネットを介して他の通信端末により閲覧可能なウェブサイトを形成するためのウェブページを作成するウェブページ作成手段とを、備え、前記サーバ装置は、そのウェブページ作成手段によって作成されたウェブページを前記他の通信端末により閲覧可能に記憶するデータベースを備えたことを特徴とするものである。
【発明の効果】
【０００９】
このようにすれば、前記通信カラオケシステムにおいて前記カラオケ装置を用いて演奏を行う利用者の映像を撮影する撮像装置と、その撮像装置により撮影が行われた際に前記カラオケ装置から出力されていた演奏曲に関する情報を抽出する情報抽出手段と、前記撮像装置により撮影された映像及び前記情報抽出手段により抽出された演奏曲に関する情報に基づいて、インターネットを介して他の通信端末により閲覧可能なウェブサイトを形成するためのウェブページを作成するウェブページ作成手段とを、備え、前記サーバ装置は、そのウェブページ作成手段によって作成されたウェブページを前記他の通信端末により閲覧可能に記憶するデータベースを備えたものであることから、カラオケ演奏に際して撮影された映像を用いて、そのカラオケ演奏に係る演奏曲に関連する情報を含むウェブページを作成することができる。すなわち、カラオケ演奏の臨場感や雰囲気を反映するウェブページを自動作成し得る通信カラオケシステムを提供することができる。
【００１０】
ここで、好適には、前記カラオケ装置を用いた演奏に関して、その演奏が盛り上がった時点である盛り上がりタイミングを判定する盛り上がり判定手段と、その盛り上がり判定手段により判定される対象となる演奏の盛り上がりタイミングにおいて前記撮像装置による撮影を行うようにその撮像装置を制御する撮影制御手段とを、備えたものである。このようにすれば、カラオケ演奏が盛り上がった時点で撮影された映像に基づいてウェブページを作成することで、そのカラオケ演奏の臨場感や雰囲気を更に好適に反映するウェブページを自動作成することができる。
【００１１】
また、好適には、前記撮像装置により撮影が行われた際に前記カラオケ装置から出力されていた演奏曲に関して、その演奏曲の出力に伴って音声入力装置から入力される音声に応じて演奏の内容を評価する演奏評価手段を備え、前記盛り上がり判定手段は、その演奏評価手段による評価結果が対象となる演奏を通しての最高評価を更新する毎に前記盛り上がりタイミングを判定するものであり、前記撮影制御手段は、その盛り上がり判定手段により前記盛り上がりタイミングが判定される毎に前記撮像装置による撮影を行い、映像を更新してゆくものである。このようにすれば、対象となる演奏において演奏評価が最高評価となった時点で撮影された映像に基づいてウェブページを作成することで、そのカラオケ演奏の臨場感や雰囲気を更に好適に反映するウェブページを自動作成することができる。
【００１２】
また、好適には、前記撮像装置により撮影が行われた際に前記カラオケ装置から出力されていた演奏曲に関して、その演奏曲の出力に伴って音声入力装置から入力される音声の音量を検出する音量検出手段を備え、前記盛り上がり判定手段は、その音量検出手段による検出結果が対象となる演奏を通しての最大値を更新する毎に前記盛り上がりタイミングを判定するものであり、前記撮影制御手段は、その盛り上がり判定手段により前記盛り上がりタイミングが判定される毎に前記撮像装置による撮影を行い、映像を更新してゆくものである。このようにすれば、対象となる演奏において入力される音声の音量が最大となった時点で撮影された映像に基づいてウェブページを作成することで、そのカラオケ演奏の臨場感や雰囲気を更に好適に反映するウェブページを自動作成することができる。
【００１３】
また、好適には、前記情報抽出手段は、前記演奏曲に関する情報として、前記盛り上がり判定手段により判定された前記盛り上がりタイミングに対応するその演奏曲の歌詞情報を抽出するものである。このようにすれば、カラオケ演奏が盛り上がった時点で歌われていた歌詞に基づいてウェブページを作成することで、そのカラオケ演奏の臨場感や雰囲気を更に好適に反映するウェブページを自動作成することができる。
【００１４】
また、好適には、前記情報抽出手段は、対象となる演奏を通して前記演奏評価手段による評価結果が最高評価であった時点に対応する歌詞情報を抽出するものである。このようにすれば、対象となる演奏において演奏評価が最高評価となった時点で歌われていた歌詞に基づいてウェブページを作成することで、そのカラオケ演奏の臨場感や雰囲気を更に好適に反映するウェブページを自動作成することができる。
【００１５】
また、好適には、前記情報抽出手段は、対象となる演奏を通して前記音量検出手段による検出結果が最大であった時点に対応する歌詞情報を抽出するものである。このようにすれば、対象となる演奏において入力される音声の音量が最大となった時点で歌われていた歌詞に基づいてウェブページを作成することで、そのカラオケ演奏の臨場感や雰囲気を更に好適に反映するウェブページを自動作成することができる。
【００１６】
また、好適には、前記ウェブページ作成手段は、前記撮像装置により撮影された映像に予め定められた編集加工を施して前記ウェブページに組み込むものである。このようにすれば、カラオケ演奏に際して撮影された映像を用いて、そのカラオケ演奏に係る演奏曲に関連する情報を含むウェブページを実用的な態様で作成することができる。
【図面の簡単な説明】
【００１７】
【図１】本発明の一実施例である通信カラオケシステムを説明する概略図である。
【図２】図１の通信カラオケシステムに備えられたカラオケ装置の構成を例示するブロック線図である。
【図３】図１の通信カラオケシステムに備えられたサーバ装置の構成を例示するブロック線図である。
【図４】図２に示すカラオケ装置のＣＰＵ及び図３に示すサーバ装置のＣＰＵに備えられた制御機能の要部を説明する機能ブロック線図である。
【図５】図２に示すカラオケ装置によるカラオケ演奏制御に際して映像表示装置に表示されるカラオケ演奏画面を例示する図である。
【図６】図２に示すカラオケ装置に備えられたＣＣＤカメラにより撮影された利用者の映像を例示する図である。
【図７】図６に示す利用者の映像に対応して図２に示すカラオケ装置のＣＰＵにより作成されるウェブページの一例を示す図である。
【図８】図６に示す利用者の映像に対応して図２に示すカラオケ装置のＣＰＵにより作成されるウェブページの他の一例を示す図である。
【図９】図２に示すカラオケ装置のＣＰＵによるウェブページ作成制御の要部について説明するフローチャートである。
【図１０】図３に示すサーバ装置のＣＰＵによるウェブページ管理制御の要部について説明するフローチャートである。
【発明を実施するための形態】
【００１８】
以下、本発明の好適な実施例を図面に基づいて詳細に説明する。
【実施例】
【００１９】
図１は、本発明の一実施例である通信カラオケシステム１０を説明する概略図である。この図１に示すように、本実施例の通信カラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）のカラオケ装置１６ａ、１６ｂ、１６ｃ、・・・（以下、特に区別しない場合には単にカラオケ装置１６と称する）が設置されている。これら複数のカラオケ装置１６は、ルータ２８を介して公衆電話回線等による通信回線１８に接続されており、同じくその通信回線１８に接続されたカラオケサービス提供会社のサーバ装置（センタ装置）２０との相互間でその通信回線１８を介して情報の通信が可能とされている。
【００２０】
上記サーバ装置２０は、カラオケデータ（カラオケ情報）、背景映像情報、曲間情報等のデジタルコンテンツ（Digital Contents）の保管や入出力管理の基本的な制御に加えて、後述するソーシャルネットワークサービス管理制御等の各種制御を行うサーバであり、上記通信回線１８を介して上記カラオケ装置１６に定期的にコンテンツの配信を行うと共に、そのカラオケ装置１６からの要求に応じて所定の機能制御プログラムを送信するものである。また、上記通信カラオケシステム１０は、複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に単数乃至複数の電子早見本装置２２が貸与され、各個室１４において後述するように上記カラオケ装置１６の遠隔操作装置として用いられるようになっている。上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。
【００２１】
図２は、前記カラオケ装置１６の構成を例示するブロック線図である。この図２に示すように、前記カラオケ装置１６は、ＣＲＴ（Cathode-ray Tube）やＴＦＴ（Thin Film Transistor Liquid Crystal）等の映像表示装置３０と、映像出力制御部３２と、映像情報デコーダ３４と、ビデオミキサ３６と、音源であるシンセサイザ３８と、音声入力装置であるマイクロフォン４０と、Ａ／Ｄコンバータ４１と、アンプミキサ４２と、スピーカ４４と、撮像装置であるＣＣＤカメラ４５と、操作パネル４６と、その操作パネル４６等からの入力信号を処理する入出力インターフェイス４８と、中央演算処理装置であるＣＰＵ５０と、読出専用メモリであるＲＯＭ５２と、随時書込読出メモリであるＲＡＭ５４と、記憶装置であるハードディスク５６と、モデム５８と、ＬＡＮポート６０と、上記電子早見本装置２２やリモコン装置６４等の入力装置からのリモコン信号を受信するためのリモコン受信部６２とを、備えて構成されている。
【００２２】
前記映像出力制御部３２は、前記ＣＰＵ５０において生成された歌詞文字映像等の文字映像（テロップ）を出力する文字映像出力装置として機能する他、前記映像表示装置３０による種々の映像表示を制御する表示制御装置である。また、前記映像情報デコーダ３４は、利用者が歌詞を参照しながら歌を歌う際に前記ハードディスク５６に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ３４により再生された背景映像は、前記ビデオミキサへ送られる。また、前記ビデオミキサ３６は、前記ＣＰＵ５０において生成され且つ前記映像出力制御部３２から出力される文字映像と、前記映像情報デコーダ３４により再生される背景映像とを合成して前記映像表示装置３０に表示させる映像合成装置である。
【００２３】
前記シンセサイザ３８は、前記ハードディスク５６から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ３８により生成された音楽信号は、アナログ信号に変換されて前記アンプミキサ４２へ送られる。そのアンプミキサ４２では、送られてきた音楽信号と前記マイクロフォン４０を介して入力される利用者の歌声とがミキシングされ、それらの信号が電気的に増幅されて前記スピーカ４４から出力される。また、前記Ａ／Ｄコンバータ４１は、音声入力装置である前記マイクロフォン４０から入力されるアナログ信号としての音声情報をディジタル信号に変換して前記ＣＰＵ５０等へ供給する。
【００２４】
前記ＣＣＤカメラ４５は、電荷結合素子（Charge Coupled Device：ＣＣＤ）により像を撮影する撮像装置であり、そのＣＣＤカメラ４５により撮影された映像は直接的に或いは図示しない所定のコンバータを介して前記カラオケ装置１６の制御系に入力されるようになっている。なお、このＣＣＤカメラ４５は、必ずしも前記カラオケ装置１６の一部として備えられたものでなくともよく、例えば前記個室１４における所定位置に固設された別体のＣＣＤカメラ乃至撮像機能を備えた携帯電話機等により撮影された映像が所定のインターフェイスを介して前記カラオケ装置１６に入力される態様も考えられる。前記ＣＣＤカメラ４５により撮影された映像は、例えばＪＰＥＧ（Joint Photographic Experts Group）形式、ＰＮＧ（portable network graphics）形式、ＧＩＦ（graphics interchange format）形式等の映像ファイルとして前記ＲＡＭ５４等に記憶される。なお、このＣＣＤカメラ４５により撮影される映像は、動画であると静止画であるとを問わない。また、本実施例においては、後述する撮像制御手段１００により前記ＣＣＤカメラ４５の撮影タイミング等が制御されるように構成されている。
【００２５】
前記操作パネル４６は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４６の一部機能を遠隔で実行するための入力装置として機能するリモコン装置６４が備えられており、前記リモコン受信部６２は、そのリモコン装置６４から送信されるリモコン信号を受信して前記ＣＰＵ５０へ供給する。また、前記カラオケ装置１６と電子早見本装置２２との対応付け（くくりつけ）処理も前記リモコン受信部６２を介して行われ、そのようにして前記カラオケ装置１６に対応付けられた電子早見本装置２２も同様に入力装置として機能する。なお、本実施例においては、前記カラオケ装置１６に備えられたリモコン装置６４や対応付け処理の行われた電子早見本装置２２等の入力装置もそのカラオケ装置１６の一部を構成するものであるとして以下の説明を行う。
【００２６】
前記ＣＰＵ５０は、前記ＲＡＭ５４の一時記憶機能を利用しつつ前記ＲＯＭ５２に予め記憶された所定のプログラムに基づいて電子情報を処理・制御する所謂マイクロコンピュータであり、前記電子早見本装置２２やリモコン装置６４等により所定のカラオケ演奏曲が選曲された場合、その選曲されたカラオケ演奏曲を前記ＲＡＭ５４に設けられた予約曲テーブルに登録したり、その予約曲テーブルの演奏順に従って前記ハードディスク５６から前記ＲＡＭ５４に選曲されたカラオケ演奏曲の演奏情報及び歌詞情報等を読み出したり、カラオケ演奏曲の演奏が進行するのに応じてそのＲＡＭ５４から前記シンセサイザ３８へ演奏情報を送信したり、歌詞情報に基づいて歌詞文字映像を生成して前記映像出力制御部３２へ送ったり、選曲時には曲名文字映像を生成して前記映像出力制御部３２へ送ったり、前記映像情報デコーダ３４を制御して所定の背景映像を再生させたり、カラオケ演奏が行われていない間すなわち曲間において、新譜情報、選曲ランキング、店舗広告等の曲間情報を出力させたり、前記通信回線１８を介した前記サーバ装置２０との間の情報通信制御等の基本的な制御に加えて、後述するウェブページ作成制御等の各種制御を実行する。
【００２７】
前記モデム５８は、前記カラオケ装置１６を公衆電話回線等による通信回線１８に接続するための装置であり、前記ＣＰＵ５０から出力されるディジタル信号をアナログ信号に変換して前記通信回線１８に送り出すと共に、その通信回線１８を介して伝送されるアナログ信号をディジタル信号に変換して前記ＣＰＵ５０に供給する処理を行う。なお、前記店舗１２に備えられた複数のカラオケ装置１６のうち何れかのカラオケ装置１６が前記ルータ２８の機能を備えてマスターコマンダとして前記通信回線１８に接続される態様も考えられ、その場合、前記モデム５８はそのマスターコマンダとして機能するカラオケ装置１６には必要とされるが、そのマスターコマンダを介して前記サーバ装置２０との間で情報の通信を行う他のカラオケ装置１６には必ずしも設けられなくともよい。また、前記通信回線１８は、好適には、ＷＷＷ（World Wide Web）すなわち所謂インターネットに接続可能とされたものであり、インターネットに接続された他の通信端末との間でその通信回線１８を介して相互に情報の送受信が可能とされる。
【００２８】
前記ＬＡＮポート６０は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６を介して受信される前記電子早見本装置２２からの選曲入力を受け付けて前記ＲＡＭ５４に設けられた予約曲テーブルに記憶したり、そのアクセスポイント２６を介して前記カラオケ装置１６から電子早見本装置２２へ所定の情報を送信したりというように、電波を介して前記カラオケ装置１６と電子早見本装置２２との間における相互の情報のやりとりが実行される。
【００２９】
前記ハードディスク５６には、カラオケ演奏曲を出力させるための多数（例えば数万曲分）のカラオケデータ（楽曲データ）を記憶するカラオケデータベース６６（図４を参照）をはじめとする各種データベースが設けられている。カラオケボックス等の店舗１２にそれぞれ備えられた複数のカラオケ装置１６のうち所定のカラオケ装置１６例えば前記カラオケ装置１６ａは、前記モデム５８を介して前記通信回線１８に接続されており、前記複数のカラオケ装置１６によって常に新しい曲が演奏可能とされるように、随時新たなカラオケデータ等が前記サーバ装置２０から前記通信回線１８を介して配信され、前記ハードディスク５６のカラオケデータベース６６等に記憶される。また、そのようにして前記サーバ装置２０から情報を取得したカラオケ装置１６ａとその他のカラオケ装置１６との間で前記ＬＡＮ２４を介した通信が行われることにより、各カラオケ装置１６のハードディスク５６に記憶される情報が共有され、カラオケデータベース６６等の内容が等価なものとされる。
【００３０】
上記カラオケデータベース６６は、前記カラオケ装置１６により演奏曲の演奏を行うための多数（例えば、数万曲分）のカラオケデータを記憶する。このカラオケデータは、前記カラオケ装置１６により演奏されるそれぞれの演奏曲に対応して、演奏音を生成するための演奏情報及び歌詞文字映像（歌詞テロップ）を生成するための歌詞情報から成るものであり、コンテンツＩＤである各演奏曲に固有の選曲番号により識別される。また、このカラオケデータに含まれる演奏情報は、前記シンセサイザ３８により所定の楽器の演奏音を出力させるための情報であり、上述のように、好適にはＭＩＤＩデータである。また、上記カラオケデータには、その演奏曲の曲名、歌手名、発表年月日、ジャンル、曲調等の情報が関連づけられて記憶されている。
【００３１】
図３は、前記サーバ装置２０の構成を説明するブロック線図である。この図３に示すように、前記サーバ装置２０は、中央演算処理装置であるＣＰＵ７０により随時書込読出メモリであるＲＡＭ７４の一時記憶機能を利用しつつ読出専用メモリであるＲＯＭ７２に予め記憶されたプログラムに従って信号処理を行う所謂ノイマン型コンピュータであり、前記カラオケ装置１６からの配信要求に応じたカラオケデータ等のコンテンツ配信制御をはじめとする基本的な制御に加えて、前記通信カラオケシステム１０の利用者を対象とするソーシャルネットワークサービス（Social Network Service）を管理運営する制御等、本実施例の通信カラオケシステム１０に関する各種制御を実行する。このソーシャルネットワークサービスとは、例えば、予め会員登録された会員相互間に限定して情報の閲覧等のサービスを提供する会員制のコミュニティ型のウェブサイトをいう。なお、以下の説明において、ソーシャルネットワークサービスをＳＮＳと略称する。
【００３２】
前記サーバ装置２０は、ビデオボード７８により制御されるＣＲＴやＴＦＴ等の映像表示装置７６と、インターフェイス８２を介して接続されるキーボード等の入力装置８０と、上記ＣＰＵ７０を前記通信回線１８に接続するための装置であるモデム８４とを、備えて構成されている。前記サーバ装置２０は、このモデム８４を介して前記通信回線１８に接続されることにより、その通信回線１８に接続された前記複数のカラオケ装置１６との間で相互に情報の送受信が可能とされている。また、前記サーバ装置２０には、前記カラオケ装置１６に配信するための多数の前記カラオケデータを記憶する図示しないカラオケデータベースの他、上記ＳＮＳに関する情報を記憶するＳＮＳデータベース８６等の各種データベースが設けられている。
【００３３】
上記ＳＮＳデータベース８６は、前記通信カラオケシステム１０を利用する各利用者毎の、前記カラオケ装置１６を用いたカラオケ演奏に関する情報を、その利用者の識別情報（ユーザＩＤ）と関連付けて記憶する記憶装置である。このＳＮＳデータベース８６には、上記各利用者の前記カラオケ装置１６を用いたカラオケ演奏に関する情報として、例えば、その利用者が過去に利用したカラオケ装置１６に対応する店舗１２（そのカラオケ装置１６が設置された店舗１２）に関する情報である来店履歴、その利用者が前記カラオケ装置１６によるカラオケ演奏において十八番曲として登録した演奏曲（簡易な操作により選曲入力を行い得るように設定された演奏曲）に関する情報、その利用者が過去に前記カラオケ装置１６によるカラオケ演奏において選曲した選曲履歴（カラオケ装置１６において過去に選曲された演奏曲の履歴）としての演奏曲に関する情報、その利用者が前記カラオケ装置１６によるカラオケ演奏において過去に行った演奏評価の評価結果に関する情報、その利用者がフレンドとして登録した他の利用者に関する情報、及び後述するウェブページ等が各利用者毎にその利用者のユーザＩＤと関連付けられて記憶される。また、各利用者毎に、その利用者の名前（ニックネーム）、生年月日、性別、メールアドレス、地域、血液型、星座、パスワードを忘れたときのための質問及び解答、及びＳＮＳへのログイン認証に用いられるパスワードがその利用者のユーザＩＤと関連付けられて記憶されている。
【００３４】
前記サーバ装置２０のＣＰＵ７０は、前記通信カラオケシステム１０におけるＳＮＳに関する情報登録制御を行う。具体的には、前記カラオケ１６の入力装置としての前記電子早見本装置２２等による入力操作に応じて、前記ＳＮＳデータベース８６に新規ユーザ（利用者）の登録を行ったり、そのＳＮＳデータベース８６に記憶された登録内容を変更（更新）したり、そのＳＮＳデータベース８６に記憶された複数の利用者をフレンドとして相互に関連付けて登録したり、前記カラオケ装置１６による評価結果を各利用者毎に記憶したりというように、前記通信カラオケシステム１０におけるＳＮＳの統括的な管理制御を行う。また、以下に詳述するウェブページ作成制御に関して、前記カラオケ装置１６から前記通信回線１８を介して送信（アップロード）されてくるウェブページを、そのウェブページに対応する利用者に対応付けて前記ＳＮＳデータベース８６に記憶する等の制御を行う。
【００３５】
図４は、前記カラオケ装置１６のＣＰＵ５０及び前記サーバ装置２０のＣＰＵ７０に備えられた制御機能の要部を説明する機能ブロック線図である。この図４に示す演奏制御手段９０、演奏評価手段９２、音量検出手段９４、コンテンツ実行制御手段９６、盛り上がり判定手段９８、撮影制御手段１００、情報抽出手段１０２、ウェブページ作成手段１０４、及びウェブページ送信手段１０６は、何れも前記カラオケ装置１６のＣＰＵ５０に機能的に備えられたものであり、図４に示すウェブページ管理手段１０８は、前記サーバ装置２０のＣＰＵ７０に機能的に備えられたものである。以下、これらの制御機能について分説する。
【００３６】
上記演奏制御手段９０は、前記カラオケ装置１６によるカラオケ演奏に際しての演奏曲の出力を制御する。具体的には、前記ＲＡＭ５４等に記憶された予約曲テーブルにおける演奏順に、その予約曲テーブルに記憶された演奏曲の選曲番号に対応するカラオケデータを前記カラオケデータベース６６から読み出し、そのカラオケ情報に含まれる演奏情報に基づいて演奏曲の出力を制御する。すなわち、演奏情報としてのＭＩＤＩデータに基づいて、前記シンセサイザ３８によりそのＭＩＤＩデータにおける楽譜情報としてのトラック乃至はチャンネルに対応する楽器の演奏音（音楽情報）を出力させ、前記アンプミキサ４２を介して前記スピーカ４４から出力させる。また、斯かる演奏出力に同期して、対象となる演奏曲の歌詞文字映像を含む演奏映像を前記映像表示装置３０に表示させる。図５は、上記演奏制御手段９０によるカラオケ演奏制御に際して前記映像表示装置３０に表示されるカラオケ演奏画面１１０を例示する図である。この図５に示すように、斯かるカラオケ演奏画面１１０においては、前記映像情報デコーダ３４により再生された背景映像１１２の前面側レイヤに、前記映像出力制御部３２から出力された対象となる演奏曲の歌詞文字映像１１４が前記ビデオミキサ３６により合成されて前記映像表示装置３０に表示される。また、対象となる演奏曲の出力に併行して、その歌詞文字映像１１４が順次色替え表示させられる。
【００３７】
前記演奏評価手段９２は、前記カラオケ装置１６による所定のカラオケ情報に基づく演奏曲の出力に際して、その演奏曲の出力に伴って前記マイクロフォン４０から入力される音声に応じて演奏の内容を評価する。例えば、前記マイクロフォン４０により入力されて前記Ａ／Ｄコンバータ４１によりディジタル信号に変換された音声情報と、前記カラオケデータベース６６から読み出される演奏情報（ＭＩＤＩデータ）に基づいて前記シンセサイザ３８により出力される演奏情報とを比較し、メロディなどの基本音程と入力される音声から抽出される音程との相対的なずれやその音声の絶対的な声量などを基準として評価を行う。また、好適には、評価対象となる演奏曲の出力開始から出力終了までの間、前記Ａ／Ｄコンバータ４１によりディジタル信号に変換された音声情報を継続的に前記ＲＡＭ５４等の記憶装置に記憶しておき、対象となる演奏曲が出力される間すなわち演奏開始から演奏終了までの間に所定のタイミング（例えば、０．５秒に１回といった短い間隔）で定期的に上記評価を実行する。また、好適には、評価対象となる演奏曲に係るフレーズ（各演奏曲において演奏の区切りとなる旋律又は歌詞の区分）毎に上記評価を行う。この評価の態様としては、例えば、千点満点中何点というように数値的に採点を行うものであってもよいし、可（評価が予め定められた閾値以上）乃至不可（評価が予め定められた閾値未満）の何れに当てはまるかを判定するというように簡易なものであってもよい。
【００３８】
前記音量検出手段９４は、前記カラオケ装置１６による所定のカラオケ情報に基づく演奏曲の出力に際して、その演奏曲の出力に伴って前記マイクロフォン４０から入力される音声の音量を検出する。例えば、前記マイクロフォン４０により入力されて前記Ａ／Ｄコンバータ４１によりディジタル信号に変換された音声情報の音圧レベル（ｄＢ）を検出する。また、好適には、検出対象となる演奏曲の出力開始から出力終了までの間、前記Ａ／Ｄコンバータ４１によりディジタル信号に変換された音声情報を継続的に前記ＲＡＭ５４等の記憶装置に記憶しておき、対象となる演奏曲が出力される間すなわち演奏開始から演奏終了までの間に所定のタイミング（例えば、０．５秒に１回といった短い間隔）で定期的に上記検出を実行する。なお、前記演奏評価手段９２が音量に基づく演奏評価を実行する態様においては、この音量検出手段９４による制御が実質的にその演奏評価手段９２により代替的に実行されるものであってもよい。
【００３９】
前記コンテンツ実行制御手段９６は、前記カラオケ装置１６における各種コンテンツの実行を制御する。このコンテンツとは、前記カラオケ装置１６において、前記演奏制御手段９０により実行されるカラオケ演奏制御とは直接関係なく実行されるサブコンテンツである。前記コンテンツ実行制御手段９６は、例えば、生年月日に対応する星座や血液型等に基づいて利用者の運勢を占う占い実行画面乃至その結果を前記映像表示装置３０に表示させる占いコンテンツ実行制御、各利用者に対応するビンゴカードに記載された数字を無作為抽出される数字に基づいて消してゆき早く縦・横または斜めの１列の数字を消した者が勝つゲームであるビンゴゲームを実行するビンゴゲーム実行制御、前記映像表示装置３０に表示されるアニメーションを見ながらそのアニメーションにおいてテロップ（文字映像）として表示される台詞を読み上げてゆく台詞読み上げコンテンツを実行する台詞読み上げコンテンツ実行制御、及び前記映像表示装置３０に昔話のアニメーションや古典映画等の映像コンテンツを表示させる映像コンテンツ再生制御等、前記電子早見本装置２０等の操作に応じて選択される各種コンテンツを実行する。
【００４０】
前記盛り上がり判定手段９８は、前記カラオケ装置１６を用いた演奏すなわち前記演奏制御手段９０により実行されるカラオケ演奏に関して、そのカラオケ演奏が盛り上がった時点である盛り上がりタイミングを判定する。好適には、前記演奏評価手段９２による評価結果が対象となるカラオケ演奏を通しての最高評価を更新する毎に前記盛り上がりタイミングを判定する。すなわち、前記演奏評価手段９２が、前述のように対象となる演奏曲の演奏開始から演奏終了までの間に所定のタイミングで定期的に複数回の前記演奏評価制御を実行する態様において、各タイミングの評価が行われる毎にその評価結果を前記ＲＡＭ５４等に記憶しておき、そのようにして記憶された複数の評価結果と新たに前記演奏評価手段９２により実行された評価結果とを比較し、その新たに実行された評価結果が最高評価である場合にその評価に対応する時点が前記盛り上がりタイミングであると判定（決定）する。換言すれば、対象となる演奏曲が一通り演奏される間において、前記演奏評価手段９２による最高評価が更新される毎にその最高評価に対応する時点が前記盛り上がりタイミングであると判定（すなわち盛り上がりタイミングを更新）し、演奏終了までの間で最後に判定された盛り上がりタイミングをその演奏曲を通しての盛り上がりタイミングと判定する。なお、前記盛り上がりタイミングに対応する時点とは、必ずしも所定の瞬間を示すものではなく、例えば数秒程度の時間に相当するものであってもよい。
【００４１】
また、前記盛り上がり判定手段９８は、好適には、前記音量検出手段９４による検出結果が対象となるカラオケ演奏を通しての最大値を更新する毎に前記盛り上がりタイミングを判定する。すなわち、前記音量検出手段９４が、前述のように対象となる演奏曲の演奏開始から演奏終了までの間に所定のタイミングで定期的に複数回の前記音量検出制御を実行する態様において、各タイミングの検出が行われる毎にその検出結果（音量）を前記ＲＡＭ５４等に記憶しておき、そのようにして記憶された複数の音量と新たに前記音量検出手段９４により検出された音量とを比較し、その新たに検出された音量が最大値である場合にその検出に対応する時点が前記盛り上がりタイミングであると判定（決定）する。換言すれば、対象となる演奏曲が一通り演奏される間において、前記音量検出手段９４により検出される音量の最大値が更新される毎にその検出に対応する時点が前記盛り上がりタイミングであると判定（すなわち盛り上がりタイミングを更新）し、演奏終了までの間で最後に判定された盛り上がりタイミングをその演奏曲を通しての盛り上がりタイミングと判定する。
【００４２】
また、前記盛り上がり判定手段９８は、好適には、前記カラオケ装置１６による一連の複数の演奏曲に係るカラオケ演奏に関して、その一連のカラオケ演奏における盛り上がりタイミング（最大盛り上がりタイミング）を判定する。例えば、対象となる一連のカラオケ演奏を通して前記演奏評価手段９２による評価結果が最高評価であった時点、すなわち各演奏曲の最高評価を比較して最も評価が高かった演奏曲における最高評価時点を、その一連のカラオケ演奏における前記盛り上がりタイミングと判定する。また、対象となる一連のカラオケ演奏を通して前記音量検出手段９４による検出結果が最大値であった時点、すなわち各演奏曲の音量の最大値を比較して最も音量が大きかった演奏曲における音量の最大値検出時点を、その一連のカラオケ演奏における前記盛り上がりタイミングと判定する。また、前記盛り上がり判定手段９８は、簡易には、前記カラオケ装置１６による一連の複数の演奏曲に係るカラオケ演奏に関して、それらの演奏曲の中で最も盛り上がった１曲を判定するものであってもよい。
【００４３】
前記撮影制御手段１００は、前記ＣＣＤカメラ４５による撮影制御を行う。すなわち、基本的には、前記電子早見本装置２０等の入力装置により所定の撮影実行操作が行われた場合に、前記ＣＣＤカメラ４５による撮影が実行されるようにそのＣＣＤカメラ４５の作動を制御する。また、前記カラオケ装置１６によるカラオケ演奏の実行中において、前記盛り上がり判定手段９８により判定される前記盛り上がりタイミングにおいて前記ＣＣＤカメラ４５による撮影が実行されるようにそのＣＣＤカメラ４５の作動を制御する。ここで、前記盛り上がり判定手段９８により判定される盛り上がりタイミングが所定の時間に相当するものである場合には、その時間内に前記ＣＣＤカメラ４５による撮影が実行されるようにそのＣＣＤカメラ４５の作動を制御する。また、前記盛り上がり判定手段９８が対象となるカラオケ演奏を通して複数回前記盛り上がりタイミングの判定（更新）を行う態様においては、その盛り上がり判定手段９８により前記盛り上がりタイミングが判定（更新）される毎に前記ＣＣＤカメラ４５による撮影が実行されるようにそのＣＣＤカメラ４５の作動を制御し、そのＣＣＤカメラ４５により撮影された映像情報を前記ＲＡＭ５４に上書き（更新）してゆく。また、各盛り上がりタイミングに対応して撮影された映像情報を上書きすることなく前記ＲＡＭ５４に全て記憶しておき、カラオケ演奏終了後に利用者に所望の映像情報を選択させるといった制御を行うものであってもよい。
【００４４】
前記情報抽出手段１０２は、前記ＣＣＤカメラ４５による撮影が実行された際に前記カラオケ装置１６から出力されていた演奏曲に関する情報を抽出する。好適には、前記盛り上がり判定手段９８により判定された前記盛り上がりタイミングに対応して前記撮影制御手段１００による制御に応じて前記ＣＣＤカメラ４５による撮影が実行された場合において、その撮影時に出力されていた演奏曲に関する情報としてその演奏曲の歌詞情報を抽出する。換言すれば、前記盛り上がり判定手段９８により判定された前記盛り上がりタイミングに対応する歌詞情報を抽出する。すなわち、対象となる演奏曲に対応するカラオケデータに含まれる歌詞情報から、前記盛り上がり判定手段９８により判定された前記盛り上がりタイミングに対応する部分の歌詞情報（テキスト情報）を抽出する。なお、前記盛り上がり判定手段９８により判定される盛り上がりタイミングが所定の瞬間に対応するものである態様においては、斯かる瞬間の前後１フレーズといったようにその瞬間を含む所定の長さの歌詞情報を抽出する。また、前述のように、前記盛り上がり判定手段９８は、対象となる演奏を通して前記演奏評価手段９２による評価結果が最高評価であった時点又は前記音量検出手段９４による検出結果が最大であった時点を前記盛り上がりタイミングとして判定するものであるため、前記情報抽出手段１０２は、換言すれば、対象となるカラオケ演奏を通して前記演奏評価手段９２による評価結果が最高評価であった時点又は前記音量検出手段９４による検出結果が最大であった時点に対応する歌詞情報を抽出する。
【００４５】
また、前記情報抽出手段１０２は、好適には、前記演奏曲に関する情報として、その演奏曲に対応付けられた曲名、歌手名、発表年月日、ジャンル、曲調等の情報を抽出する。例えば、前記盛り上がり判定手段９８が前記カラオケ装置１６による一連の複数の演奏曲に係るカラオケ演奏に関して、その一連のカラオケ演奏における盛り上がりタイミングを判定する態様において、その判定された盛り上がりタイミングに対応する演奏曲のカラオケデータからその演奏曲の曲名、歌手名、発表年月日、ジャンル、曲調等の情報を抽出する。換言すれば、対象となる一連のカラオケ演奏を通して前記演奏評価手段９２による評価結果が最高評価であった演奏曲又は前記音量検出手段９４による検出結果が最大であった演奏曲に対応する曲名、歌手名、発表年月日、ジャンル、曲調等の情報を抽出する。
【００４６】
前記ウェブページ作成手段１０４は、前記ＣＣＤカメラ４５により撮影された映像情報及び前記情報抽出手段１０２により抽出された演奏曲に関する情報に基づいて、インターネットを介して他の通信端末により閲覧可能なウェブサイトを形成するためのウェブページを作成する。このウェブページは、例えばＨＴＭＬ（hypertext markup language）形式或いはＸＭＬ（extensible markup language）形式のファイルであり、好適には、前記ＣＣＤカメラ４５により撮影された映像情報に対応して、その撮影が行われた時点において行われていたカラオケ演奏に対応して前記情報抽出手段１０２により抽出された情報、そのカラオケ演奏に係る前記演奏評価手段９２の評価結果、及びそのカラオケ演奏に相前後して前記コンテンツ実行制御手段９６により実行されていたコンテンツに関する情報に基づいて、対象となる映像情報と上記抽出された情報、評価結果、及びコンテンツに関する情報等に対応するテキスト情報とを含む図７に示すようなフォトダイアリ（写真日記）に相当するウェブページを作成する。ここで、前記演奏評価手段９２の評価結果としては、対象となる映像が撮影された時点における評価結果乃至一連のカラオケ演奏を通しての最高評価が好適に適用される。また、前記コンテンツ実行制御手段９６により実行されていたコンテンツに関する情報としては、例えば、前記占いコンテンツにおける占いの結果、前記ビンゴゲームにおける勝者や各利用者の順位、台詞読み上げコンテンツにおいて読み上げた台詞の一節、及び再生された映像コンテンツのタイトル等が好適に適用される。
【００４７】
図６は、前記ＣＣＤカメラ４５により撮影された利用者の映像１１６を例示する図である。また、図７は、図６に示す利用者の映像１１６に対応して作成されるウェブページ１１８の一例を示す図であり、フォトダイアリに相当する。この図７では、対象となるウェブページ１１８がインターネットに接続されたパーソナルコンピュータや携帯電話機、或いはウェブブラウザ機能を備えた前記電子早見本装置２０等に表示された様子（すなわちウェブサイト）を示しており、そのウェブページ１１８のコンテンツとして、前記ＣＣＤカメラ４５により撮影された利用者の映像１１６と、その撮影が行われた時点において実行中であったカラオケ演奏に対応して前記情報抽出手段１０２により抽出された情報、そのカラオケ演奏に係る前記演奏評価手段９２の評価結果、及びそのカラオケ演奏に相前後して前記コンテンツ実行制御手段９６により実行されていたコンテンツに関する情報を含む自動作成ダイアリ１２０とが含まれている。この自動作成ダイアリ１２０とは、前記情報抽出手段１０２により抽出された情報としての歌詞情報、曲名、歌手名、発表年月日、ジャンル、及び曲調等、前記演奏評価手段９２の評価結果としての得点（数値）、及び前記コンテンツ実行制御手段９６により実行されていたコンテンツに関する情報としての前記占いコンテンツにおける占いの結果、前記ビンゴゲームにおける勝者や各利用者の順位、台詞読み上げコンテンツにおいて読み上げた台詞の一節、及び再生された映像コンテンツのタイトル等を含むテキスト情報である。
【００４８】
すなわち、前記ウェブページ作成手段１０４は、前記情報抽出手段１０２により抽出された情報としての歌詞情報、曲名、歌手名、発表年月日、ジャンル、及び曲調等、前記演奏評価手段９２の評価結果としての得点（数値）、及び前記コンテンツ実行制御手段９６により実行されていたコンテンツに関する情報としての前記占いコンテンツにおける占いの結果、前記ビンゴゲームにおける勝者や各利用者の順位、台詞読み上げコンテンツにおいて読み上げた台詞の一節、及び再生された映像コンテンツのタイトル等を含む、少なくとも文法的に正しい文章に相当するテキスト情報を自動作成し、そのテキスト情報を前記ウェブページ１１８のコンテンツである自動作成ダイアリ１２０に適用する。図７の例では、ジャンル「Ｊ−ＰＯＰ」、演奏時間「１８時３２分からの３時間」、歌手名「浜口章太郎」、演奏評価結果「９１２点」、歌詞情報「触れ合えない二人のDestiny」等の情報を含む自動作成ダイアリ１２０を示している。例えば、この自動作成ダイアリ１２０に含まれる歌詞情報「触れ合えない二人のDestiny」は、前記盛り上がり判定手段９８による判定に応じて前記ＣＣＤカメラ４５による撮影が行われた時点における歌詞を抽出したものであり、換言すれば、その自動作成ダイアリ１２０に対応する映像１１６の撮影時において利用者が歌っていた歌詞に相当するものである。斯かる制御により、前記ＣＣＤカメラ４５により撮影された利用者の映像１１６を含むと共に、その映像１１６が撮影された時点における演奏曲に関する情報、演奏評価結果、及び相前後して実行されていたコンテンツに関する情報を含む自動作成ダイアリ１２０をコンテンツとするウェブページ１１８を自動作成することができる。
【００４９】
また、図８は、図６に示す利用者の映像１１６に対応して作成されるウェブページ１２２の他の一例を示す図であり、所謂ブログ（blog）ページに相当する。この図８に示すウェブページ１２２では、前述した図７と同様に対象となるウェブページ１２２がインターネットに接続されたパーソナルコンピュータや携帯電話機、或いはウェブブラウザ機能を備えた前記電子早見本装置２０等に表示された様子を示しており、そのウェブページ１２２のコンテンツとして、前記ＣＣＤカメラ４５により撮影された利用者の映像１１６を編集加工した加工後の映像１２４と、そのウェブページ１２２の管理者権限でログインした利用者により所謂ブログの本文としてのテキスト情報を入力し得るブログ入力欄１２６とが含まれている。このブログとは、所定のフォーマットに対応するテキストログ（日記）を入力年月日と対応付けて記憶可能とするウェブページであり、インターネットに接続されたパーソナルコンピュータや携帯電話機、或いはウェブブラウザ機能を備えた前記電子早見本装置２０等によりその編集が可能とされる。ここで、上記ブログ入力欄１２６に入力すべきキーワードとして、前記情報抽出手段１０２により抽出された情報として歌詞情報、曲名、歌手名、発表年月日、ジャンル、及び曲調等、前記演奏評価手段９２の評価結果として得点（数値）、及び前記コンテンツ実行制御手段９６により実行されていたコンテンツに関する情報として前記占いコンテンツにおける占いの結果、前記ビンゴゲームにおける勝者や各利用者の順位、台詞読み上げコンテンツにおいて読み上げた台詞の一節、及び再生された映像コンテンツのタイトル等をそのブログ入力欄１２６に付随して表示させてもよい。なお、上記ブログ入力欄１２６により所定のテキスト情報が入力された場合、以降はそのテキスト情報が上記ウェブページ１２２のコンテンツとして前記加工後の映像１２４と共に任意の利用者により閲覧可能となり、好適にはトラックバック等の設定も可能とされる。
【００５０】
また、前記ウェブページ１２２に含まれる加工後の映像１２４は、例えば、前記ＣＣＤカメラ４５により撮影された図６に示すような利用者の映像１１６に、前記情報抽出手段１０２により抽出された歌詞情報「触れ合えない二人のDestiny」に相当するイタリック体のポップフォントを記入（映像１１６の前面側に付加的に描写）する編集加工を施したものである。すなわち、前記ウェブページ作成手段１０４は、前記ＣＣＤカメラ４５により撮影された映像１１６に予め定められた編集加工を施して前記ウェブページ１２２に組み込む。例えば、対象となる映像１１６の撮影が行われた時点において行われていたカラオケ演奏に対応して前記情報抽出手段１０２により抽出された情報、そのカラオケ演奏に係る前記演奏評価手段９２の評価結果、及びそのカラオケ演奏に相前後して前記コンテンツ実行制御手段９６により実行されていたコンテンツに関する情報に基づいてその映像１１６を編集加工して前記ウェブページ１２２に組み込む。また、好適には、対象となる映像１１６を水彩画風や油絵風にデフォルメする編集加工や、前記ウェブページ１２２に貼り込むために画像サイズの変更乃至解像度の変更等の自動調整を行う。
【００５１】
前記ウェブページ送信手段１０６は、前記ウェブページ作成手段１０４により作成された前記ウェブページ１１８、１２２等を前記通信回線１８を介して前記サーバ装置２０へ送信（アップロード）する。また、各ウェブページ１１８、１２２等に含まれるコンテンツとしての前記映像１１６、１２４等もそれらウェブページ１１８、１２２の送信に付随して前記サーバ装置２０へ送信する。例えば、前記ウェブページ１１８、１２２に対応するＨＴＭＬファイル又はＸＭＬファイル、及びそのウェブページ１１８、１２２に含まれるコンテンツとしての画像ファイル等のセットを前記サーバ装置２０へ送信する。
【００５２】
前記ウェブページ管理手段１０８は、前記ウェブページ送信手段１０６により送信されるウェブページ１１８、１２２等及びそれらに含まれるコンテンツを、送信に係る利用者の識別情報と関連付けて前記ＳＮＳデータベース８６に記憶する。また、そのようにして前記ＳＮＳデータベース８６に記憶されたウェブページ１１８、１２２等に関して、インターネットに接続されたパーソナルコンピュータや携帯電話機、或いはウェブブラウザ機能を備えた前記電子早見本装置２０等のクライアントコンピュータによる閲覧要求に応じてそれらウェブページ１１８、１２２を閲覧するための情報を配信する。ここで、前記ウェブページ管理手段１０８は、好適には、インターネットに接続される任意の通信端末に対して前記ＳＮＳデータベース８６に記憶されたウェブページの配信を行うものであるが、所定のログイン認証により認証された登録ユーザに対してのみ斯かる配信を行うものであってもよい。すなわち、本実施例の通信カラオケシステム１０におけるＳＮＳに利用者として登録を行っており、各通信端末におけるログイン認証によりそのＳＮＳのログイン認証が正常に行われた場合には前記ウェブページの配信を行うが、ログイン認証が正常に行われなかった場合にはエラーである旨を返信する制御を行うものであってもよい。更には、本実施例の通信カラオケシステム１０におけるＳＮＳに登録された利用者のうち、対象となるウェブページの投稿者（そのウェブページと対応付けられて記憶された利用者）と特定の関係にある利用者、例えばその投稿者とフレンド登録されている利用者に対してのみ斯かるウェブページの配信を許可する等の制御を行うものであってもよい。
【００５３】
図９は、前記カラオケ装置１６のＣＰＵ５０によるウェブページ作成制御の要部について説明するフローチャートであり、所定の周期で繰り返し実行されるものである。
【００５４】
先ず、ステップ（以下、ステップを省略する）ＳＡ１において、対象となる演奏曲のカラオケデータが前記カラオケデータベース６６から読み出され、その演奏情報及び歌詞情報等が前記ＲＡＭ５４に展開される。次に、ＳＡ２において、対象となる演奏曲のカラオケ演奏が開始される。また、以降のカラオケ演奏に伴い前記マイクロフォン４０からＡ／Ｄコンバータ４１を介して入力される音声情報が前記ＲＡＭ５４に記憶される。次に、ＳＡ３において、演奏評価タイミングであるか否かが判断される。このＳＡ３の判断が否定される場合には、ＳＡ５以下の処理が実行されるが、ＳＡ３の判断が肯定される場合には、前記演奏評価手段９２の動作に対応するＳＡ４において、前記ＲＡＭ５４に記憶された所定区間の音声情報とその区間に対応する演奏情報とが比較される等してその区間の演奏評価が実行される。
【００５５】
次に、ＳＡ５において、音量検出タイミングであるか否かが判断される。このＳＡ５の判断が否定される場合には、ＳＡ７以下の処理が実行されるが、ＳＡ５の判断が肯定される場合には、前記音量検出手段９４の動作に対応するＳＡ６において、前記ＲＡＭ５４に記憶された所定区間の音声情報における最大音量が検出された後、前記盛り上がり判定手段９８の動作に対応するＳＡ７において、対象となるカラオケ演奏が盛り上がった時点である盛り上がりタイミング（盛り上がりピーク）があったか否かが判断される。すなわち、ＳＡ４における評価結果がその時点における最高評価であったか、或いはＳＡ６にて検出された音量がその時点における最大値であったかが判断される。このＳＡ７の判断が否定される場合には、ＳＡ１０以下の処理が実行されるが、ＳＡ７の判断が肯定される場合には、前記撮影制御手段１００の動作に対応するＳＡ８において、前記ＣＣＤカメラ４５による撮影が実行され、撮影された映像が前記ＲＡＭ５４に記憶される。
【００５６】
次に、前記情報抽出手段１０２の動作に対応するＳＡ９において、前記ＲＡＭ５４に展開されている情報からＳＡ７にて判定された盛り上がりタイミングに対応する部分の歌詞情報等が抽出され、前記ＲＡＭ５４に記憶される。次に、ＳＡ１０において、対象となる演奏曲のカラオケ演奏が終了したか否かが判断される。このＳＡ１０の判断が否定される場合には、ＳＡ３以下の処理が再び実行されるが、ＳＡ１０の判断が肯定される場合には、前記ウェブページ作成手段１０４の動作に対応するＳＡ１１において、ＳＡ８にて撮影された映像に対応するウェブページが、ＳＡ９にて抽出された情報等に基づいて作成される。次に、前記ウェブページ送信手段１０６の動作に対応するＳＡ１２において、ＳＡ１１にて作成されたウェブページ及びそのコンテンツが前記通信回線１８を介して前記サーバ装置２０へ送信された後、本ルーチンが終了させられる。以上の制御において、ＳＡ１、ＳＡ２、及びＳＡ１０が前記演奏制御手段９０の動作に対応する。
【００５７】
図１０は、前記サーバ装置２０のＣＰＵ７０によるウェブページ管理制御の要部について説明するフローチャートであり、所定の周期で繰り返し実行されるものである。
【００５８】
先ず、ＳＢ１において、前記通信回線１８を介して前記カラオケ装置１６から新規ウェブページの投稿（送信）があったか否かが判断される。このＳＢ１の判断が否定される場合には、ＳＢ５以下の処理が実行されるが、ＳＢ１の判断が肯定される場合には、ＳＢ２において、ウェブページの投稿に係る利用者の識別情報が前記ＳＮＳデータベース８６に登録されているか否かが判断される。このＳＢ２の判断が肯定される場合には、ＳＢ３において、投稿されたウェブページがそのコンテンツと共に、前記ＳＮＳデータベース８６における対象となる利用者のユーザページにその利用者の識別情報と対応付けられて記憶された後、ＳＢ５以下の処理が実行されるが、ＳＢ２の判断が否定される場合には、ＳＢ４において、ウェブページの投稿元にエラーである旨が返信された後、ＳＢ５において、所定の通信端末からインターネットを介して前記ＳＮＳデータベース８６に記憶されたウェブページの閲覧要求があったか否かが判断される。このＳＢ５の判断が否定される場合には、それをもって本ルーチンが終了させられるが、ＳＢ５の判断が肯定される場合には、ＳＢ６において、閲覧要求に係る利用者が前記ＳＮＳデータベース８６に登録された閲覧可能ユーザであるか否かが判断される。このＳＢ６の判断が肯定される場合には、ＳＢ７において、閲覧要求に係るウェブページが前記ＳＮＳデータベース８６から読み出され、要求元である通信端末に対して配信された後、本ルーチンが終了させられるが、ＳＢ６の判断が否定される場合には、ＳＢ８において、要求元である通信端末にエラーである旨が返信された後、本ルーチンが終了させられる。以上の制御において、ＳＢ１乃至ＳＢ８が前記ウェブページ管理手段１０８の動作に対応する。
【００５９】
このように、本実施例によれば、前記カラオケ装置１６を用いて演奏を行う利用者の映像１１６を撮影する撮像装置としてのＣＣＤカメラ４５と、そのＣＣＤカメラ４５により撮影が行われた際に前記カラオケ装置１６から出力されていた演奏曲に関する情報を抽出する情報抽出手段１０２（ＳＡ９）と、前記ＣＣＤカメラ４５により撮影された映像１１６及び前記情報抽出手段１０２により抽出された演奏曲に関する情報に基づいて、インターネットを介して他の通信端末により閲覧可能なウェブサイトを形成するためのウェブページ１１８、１２２を作成するウェブページ作成手段１０４（ＳＡ１１）とを、備え、前記サーバ装置２０は、そのウェブページ作成手段１０４によって作成されたウェブページ１１８、１２２を前記他の通信端末により閲覧可能に記憶するＳＮＳデータベース８６を備えたものであることから、カラオケ演奏に際して撮影された映像１１６を用いて、そのカラオケ演奏に係る演奏曲に関連する情報を含むウェブページ１１８、１２２を作成することができる。すなわち、カラオケ演奏の臨場感や雰囲気を反映するウェブページを自動作成し得る通信カラオケシステム１０を提供することができる。
【００６０】
また、前記カラオケ装置１６を用いた演奏に関して、その演奏が盛り上がった時点である盛り上がりタイミングを判定する盛り上がり判定手段９８（ＳＡ７）と、その盛り上がり判定手段９８により判定される対象となる演奏の盛り上がりタイミングにおいて前記ＣＣＤカメラ４５による撮影を行うようにそのＣＣＤカメラ４５を制御する撮影制御手段１００（ＳＡ８）とを、備えたものであるため、カラオケ演奏が盛り上がった時点で撮影された映像１１６に基づいてウェブページ１１８、１２２を作成することで、そのカラオケ演奏の臨場感や雰囲気を更に好適に反映するウェブページを自動作成することができる。
【００６１】
また、前記ＣＣＤカメラ４５により撮影が行われた際に前記カラオケ装置１６から出力されていた演奏曲に関して、その演奏曲の出力に伴って音声入力装置である前記マイクロフォン４０から入力される音声に応じて演奏の内容を評価する演奏評価手段９２（ＳＡ４）を備え、前記盛り上がり判定手段９８は、その演奏評価手段９２による評価結果が対象となる演奏を通しての最高評価を更新する毎に前記盛り上がりタイミングを判定するものであり、前記撮影制御手段１００は、その盛り上がり判定手段９８により前記盛り上がりタイミングが判定される毎に前記ＣＣＤカメラ４５による撮影を行い、映像１１６を更新してゆくものであるため、対象となる演奏において演奏評価が最高評価となった時点で撮影された映像１１６に基づいてウェブページ１１８、１２２を作成することで、そのカラオケ演奏の臨場感や雰囲気を更に好適に反映するウェブページを自動作成することができる。
【００６２】
また、前記ＣＣＤカメラ４５により撮影が行われた際に前記カラオケ装置１６から出力されていた演奏曲に関して、その演奏曲の出力に伴って前記マイクロフォン４０から入力される音声の音量を検出する音量検出手段９４（ＳＡ６）を備え、前記盛り上がり判定手段９８は、その音量検出手段９４による検出結果が対象となる演奏を通しての最大値を更新する毎に前記盛り上がりタイミングを判定するものであり、前記撮影制御手段１００は、その盛り上がり判定手段９８により前記盛り上がりタイミングが判定される毎に前記ＣＣＤカメラ４５による撮影を行い、映像１１６を更新してゆくものであるため、対象となる演奏において入力される音声の音量が最大となった時点で撮影された映像１１６に基づいてウェブページ１１８、１２２を作成することで、そのカラオケ演奏の臨場感や雰囲気を更に好適に反映するウェブページを自動作成することができる。
【００６３】
また、前記情報抽出手段１０２は、前記演奏曲に関する情報として、前記盛り上がり判定手段９８により判定された前記盛り上がりタイミングに対応するその演奏曲の歌詞情報を抽出するものであるため、カラオケ演奏が盛り上がった時点で歌われていた歌詞に基づいてウェブページ１１８、１２２を作成することで、そのカラオケ演奏の臨場感や雰囲気を更に好適に反映するウェブページを自動作成することができる。
【００６４】
また、前記情報抽出手段１０２は、対象となる演奏を通して前記演奏評価手段９２による評価結果が最高評価であった時点に対応する歌詞情報を抽出するものであるため、対象となる演奏において演奏評価が最高評価となった時点で歌われていた歌詞に基づいてウェブページ１１８、１２２を作成することで、そのカラオケ演奏の臨場感や雰囲気を更に好適に反映するウェブページを自動作成することができる。
【００６５】
また、前記情報抽出手段１０２は、対象となる演奏を通して前記音量検出手段９４による検出結果が最大であった時点に対応する歌詞情報を抽出するものであるため、対象となる演奏において入力される音声の音量が最大となった時点で歌われていた歌詞に基づいてウェブページ１１８、１２２を作成することで、そのカラオケ演奏の臨場感や雰囲気を更に好適に反映するウェブページを自動作成することができる。
【００６６】
また、前記ウェブページ作成手段１０２は、前記ＣＣＤカメラ４５により撮影された映像１１６に予め定められた編集加工を施して前記ウェブページ１１８、１２２に組み込むものであるため、カラオケ演奏に際して撮影された映像１１６を用いて、そのカラオケ演奏に係る演奏曲に関連する情報を含むウェブページ１１８、１２２を実用的な態様で作成することができる。
【００６７】
以上、本発明の好適な実施例を図面に基づいて詳細に説明したが、本発明はこれに限定されるものではなく、更に別の態様においても実施される。
【００６８】
例えば、前述の実施例において、前記ウェブページ作成手段１０４は、前記カラオケ装置１６のＣＰＵ５０に機能的に備えられたものであったが、本発明はこれに限定されるものではなく、例えば前記ウェブページ作成手段１０４と等価な制御機能が前記サーバ装置２０のＣＰＵ７０に備えられたものであってもよい。斯かる態様においては、前記カラオケ装置１６において前記ＣＣＤカメラ４５により撮影された映像１１６及び前記情報抽出手段１０２により抽出された情報等が相互に関連付けられて前記サーバ装置２０へ送信され、そのサーバ装置２０側でそれらの情報に基づいてウェブページの作成が実行される。
【００６９】
また、前述の実施例では、専ら前記盛り上がり判定手段９８により判定される盛り上がりタイミングにおいて前記撮影制御手段１００により前記ＣＣＤカメラ４５の撮影が自動実行される制御について説明したが、例えば、前記電子早見本装置２２等による操作に応じて前記ＣＣＤカメラ４５の撮影が手動実行される態様においても本発明は一応の効果を奏するものである。
【００７０】
その他、一々例示はしないが、本発明はその趣旨を逸脱しない範囲内において種々の変更が加えられて実施されるものである。
【符号の説明】
【００７１】
１０：通信カラオケシステム
１６：カラオケ装置
１８：通信回線
２０：サーバ装置
４０：マイクロフォン（音声入力装置）
４５：ＣＣＤカメラ（撮像装置）
８６：ＳＮＳデータベース
９２：演奏評価手段
９４：音量検出手段
９８：盛り上がり判定手段
１００：撮影制御手段
１０２：情報抽出手段
１０４：ウェブページ作成手段
１１６：利用者の映像
１１８、１２２：ウェブページ
【図１】
2011175170.tif 000003
【図２】
2011175170.tif 000004
【図３】
2011175170.tif 000005
【図４】
2011175170.tif 000006
【図６】
2011175170.tif 000007
【図７】
2011175170.tif 000008
【図９】
2011175170.tif 000009
【図１０】
2011175170.tif 000010
【図５】
2011175170.tif 000011
【図８】
2011175170.tif 000012